【手続補正書】
【提出日】平成16年5月31日(2004.5.31)
【手続補正１】
【補正対象書類名】明細書
【補正対象項目名】全文
【補正方法】変更
【補正の内容】
【書類名】          明細書
【発明の名称】      コンバイン
【特許請求の範囲】
【請求項１】  刈取装置１の穀稈搬送部２上方を覆って防塵する前部カバー４を設けるにあたり、該前部カバー４を前記刈取装置１の上部に連結して設け、前記前部カバー４には前照灯３３を取り付けて構成したことを特徴とするコンバイン。
【発明の詳細な説明】
【０００１】
【発明の属する技術分野】
この発明は、圃場内に植立する穀稈を刈り取って脱穀選別するコンバインに関する。
【０００２】
【従来の技術、及び発明が解決しようとする課題】
刈取装置の穀稈搬送部では、穀稈の搬送時に多量の塵埃が発生することから、危険防止を兼ねて穀稈搬送部の上方をカバー等で覆うようにしているものが一般的である。
【０００３】
コンバインが夜間作業を行う際には前照灯を点灯して作業を行うが、従来この前照灯は、引起装置や刈取装置の側部カバー等に設けられている構成である。
【０００４】
このような構成であると、前照灯は穀稈の影響を受けて安定して照らすことができないという不具合が発生していた。
【０００５】
【課題を解決するための手段】
そこで、この発明は前述のような課題を解決するために、次のような技術的手段を講ずる。即ち、刈取装置１の穀稈搬送部２上方を覆って防塵する前部カバー４を設けるにあたり、該前部カバー４を前記刈取装置１の上部に連結して設け、前記前部カバー４には前照灯３３を取り付けて構成したことを特徴とするコンバインとしたものである。
【０００６】
【作用】
上記の構成により、夜間での作業時においては、穀稈搬送部２上方を覆って防塵する前部カバー４に取り付けられている前照灯３３を点灯させて作業を行う。
【０００７】
【発明の効果】
従って、前照灯３３は穀稈による影響を受けることなく、安定して前方を照らすことができるようになる。
【０００８】
【実施例】
以下に、この発明の実施例を図面に基づいて説明する。
コンバインの走行フレーム９の下部側に土壌面を走行する左右一対の走行クロ−ラ１０を有した走行装置１１を配設し、該走行フレーム９上に、フィ−ドチェン１２に挾持して供給される穀稈を脱穀し、この脱穀された穀粒を選別回収する脱穀装置１３を載設する。
【０００９】
該脱穀装置１３の前方側に立毛穀稈を刈取ると共に、この刈取った穀稈を後方側へ搬送しながら横倒れ姿勢に変更して該フィ−ドチェン１２へ受渡しする刈取装置１を、土壌面に対して昇降自在となるよう該走行フレーム９の前端部へ装架して設ける。また、該刈取装置１の一側にコンバインの操作制御を行う操作装置１４と、この操作のための操作席１５とを設けると共に、これらの刈取装置１，走行装置１１，脱穀装置１３，操作装置１４等によってコンバインの機体１６を構成する。
【００１０】
該走行フレーム９の前端部に走行用ミッションケ−ス１７を設け、このミッションケ−ス１７の上端部に刈取支持ベース１８を固設すると共に、この刈取支持ベース１８の上端部位置に、パイプ状の刈取フレ−ム１９をその上端部に左右に突出させた支軸２０によって上下回動自在に支承し、この刈取フレ−ム１９に複数条の立毛穀稈を刈取る刈取装置１を支架して構成する。
【００１１】
該刈取フレ−ム１９の延長下端部を、刈取装置１の全幅に亘って設けた下部横ケ−ス２１のほぼ中間部位置へ接合し、この下部横ケ−ス２１の両端部から前側斜め上方へ向けてパイプ状の左右の縦フレーム２２を延設し、この左右の縦フレーム２２の各上端部間に亘って上部横ケ−ス２３を接合して門形を構成する。
該下部横ケ−ス２１の左右の下面部に前方へ向け延長する下部フレ−ム２４を接合すると共に、この下部フレ−ム２４と、刈取装置１の前端部に設けた複数条の立毛穀稈を分草する複数個の分草体２５の各分草杆２６とを接合し、該下部フレーム２４の前端部に立毛穀稈を刈取る刈刃部２７を設けて構成する。
【００１２】
該刈刃部２７の上部近傍に、刈取られた穀稈を複数列に各々分離して掻込んだ後、一箇所に集稈する上下二段の穀稈掻込部２８を設け、この穀稈掻込部２８によって集稈した穀稈の穂先側を保持搬送する穂先搬送部２ａと、株元側を挟持搬送する株元搬送部２ｂとを各々上下に配置した穀稈搬送部２を、前記フィ−ドチェン１２に穀稈を受渡し可能な位置に配設すると共に、その後端部近傍に前記刈取フレ−ム１９の支軸２０とほぼ同じ軸芯とする支点を設け、この支点を軸として前端部を上下揺動させて脱穀装置１３へ供給する穀稈の扱深さを調節可能に構成する。
【００１３】
前記分草体２５の後部近傍から後側斜め上方へ向けて、分草された複数条の立毛穀稈を引起す複数列の穀稈引起ケ−ス２９を配設すると共に、この各穀稈引起ケ−ス２９の上端側近傍へ、前記上部横ケ−ス２３から下方向へ延出させた各引起伝動ケ−ス３０を接合し、該上部横ケ−ス２３に内装された上部伝動軸から該各引起伝動ケ−ス３０に内装された各引起伝動軸へ連動連結して構成する。
【００１４】
前記刈取フレ−ム１９に内装された入力伝動軸から前記下部横ケ−ス２１に内装された下部伝動軸へ、この下部伝動軸から前記左の縦フレーム２２に内装された中間伝動軸へ、更にこの中間伝動軸から該上部横ケ−ス２３に内装された上部伝動軸へ各々連動連結させ、これらの動力伝達により、前記穀稈掻込部２８，穀稈搬送部２，穀稈引起ケ−ス２９等を各々駆動させるよう構成する。（各伝動軸は図面省略）
前記刈取フレ−ム１９の下部側と走行フレーム９の前端側との間に、油圧等の伸縮作用により、刈取装置１を前記支軸２０回りに上下回動して昇降させる昇降シリンダ３１を連結して設けると共に、この昇降時に該刈取フレ−ム１９の下端部近傍と走行フレーム９前端部との間に、ピン連結により折曲伸縮して刈取装置１のふらつきを防止する懸架リンク３２を連結して構成する。
【００１５】
該刈取装置１の穀稈搬送部２上方を覆う防塵カバー３を、前部カバー４と後部カバー５とに分割し、この両カバー４，５は、断面∩形状とする適宜長さのフランジ４ａ，５ａを各々その両端部に形成し、前部カバー４の後端部に後部カバー５の前端部を外側から適宜長さ重接させ、前部カバー４の前端部を前記上部横ケース２３に連結固定すると共に、その上側突出部に前照灯３３を取り付けて構成する。
【００１６】
前記刈取フレーム１９の上端部に連結固定した主連結アーム３４を、該前部カバー４の右側フランジ４ａ前端部へ向け延長し、この主連結アーム３４の上端部に、前部カバー４の前端縁部を通って左側フランジ４ａの内面に沿って後方側まで延長補強する前連結アーム３５を連結固定すると共に、該主連結アーム３４の中間部と、前部カバー４の右側フランジ４ａ後端部を通って前部カバー４の後端縁部の内面に沿って左側フランジ４ａまで延長補強する後連結アーム３６とを連結固定し、この後連結アーム３６の終端部と前連結アーム３５の終端部とを連結固定して構成する。
【００１７】
前記支軸２０回りに前後回動可能な支持アーム６を該後部カバー５の後端部右側位置へ向け立ち上げ延長し、この支持アーム６の上端部と、後部カバー５の後端縁部の内面に沿って左右側両フランジ５ａ間に回動可能に支承する回動支持軸３７とを連結し、左右側両フランジ５ａの内面に沿って、後部カバー５の全長に亘り前端側を高く後端側を低く傾斜状態に左右のスライドレール７を設ける。このスライドレール７は、該前部カバー４の後連結アーム３６から該カバー４のフランジ４ａを貫通してその外側面に回動自在に軸承した左右のガイドローラ８を包囲する樋部７ａを形成し、この樋部７ａによりガイドローラ８を遊嵌支持して構成する。
【００１８】
該後部カバー５を前方へスライドさせた開放位置において、このカバー５をロックさせるクリップ状のストッパ受３８ａを該前部カバー４の後連結アーム３６の略中央部位置から後方へ突出させ、このストッパ受３８ａに嵌合させるストッパ３８ｂを後部カバー５の回動支持軸３７から突出させて設ける。また、後部カバー５を後方へスライドさせた閉鎖位置において、このカバー５の後端部上面の略中央部位置に取り付けた適宜長さの把手３９の左右側近傍における内面部に、該回動支持軸３７を嵌合させて後部カバー５をロックさせる、クリップ状のストッパ受４０を前記脱穀装置１３の一側から前方へ突出させて構成する。
【００１９】
分草体２５を土壌面に近接させ、走行装置１１によって機体１６を前進させて刈取装置１により立毛穀稈の刈取りを行うが、この刈取りは入力伝動軸から各部への動力の伝達により、該分草体２５によって立毛穀稈の分草を行い、この分草された穀稈を穀稈引起ケ−ス２９により引起し、この引起された穀稈を刈刃部２７によって刈取ると同時に、穀稈掻込部２８によって掻込み、この掻込んだ穀稈を穀稈搬送部２によって搬送し、供給深さを調節制御して脱穀装置１３のフィ−ドチェン１２に受渡して脱穀を行う。
【００２０】
このような刈取り時に、穀稈の搬送状態の監視や搬送不良の手直し等のため防塵カバー３を開放させるときは、後部カバー５の把手３９を掴んで前方へ押し出すことにより、支持アーム６が支軸２０を支点として前方へ回動すると共に、前部カバー４のガイドローラ８に後部カバー５のスライドレール７を遊嵌スライドさせ、このスライドによって後部カバー５を、支持アーム６及びスライドレール７により、常に一定の姿勢を保持して前部カバー４の上側位置まで移動開放させる。この開放終端部において、後部カバー５のストッパ３８ｂを前部カバー４のストッパ受３８ａに嵌合して停止ロックさせる。
【００２１】
次に、該防塵カバー３を閉鎖するときは、後部カバー５の把手３９を掴んで後方へ引き戻すことにより、前記とは逆の作用によって常に一定の姿勢を保持して後方側へスライドして移動閉鎖させ、この閉鎖終端部において該脱穀装置１３の一側に設けたストッパ受４０に、後部カバー５の回動支持軸３７を嵌合して停止ロックさせる。
【００２２】
また、後部カバー５を前後回動させる支持アーム６を、刈取装置１を昇降させる刈取フレーム１９の上下回動用の支軸２０と同軸上に回動可能に支承しているため、図５に示す如く、刈取装置１の前記上部横ケース２３に固定されている前部カバー４が、刈取装置１の昇降に伴って移動しても後部カバー５との隙間ａを一定に保持することができる。
【００２３】
従って従来の如く、該支持アーム６の支点を支軸２０と別の位置に設けるもののように、刈取装置１の昇降に伴い前部カバー４が後部カバー５に対して、前傾又は後傾姿勢となって該両カバー４，５の隙間ａが大小に変化することがないから、刈取装置１の昇降位置に関係なく前部カバー４と後部カバー５との隙間ａが一定となり、安定した姿勢により後部カバー５を開閉移動させることができる。
【００２４】
なお、該支持アーム６の支点を支軸２０と同軸上に位置させるときは、別支点を設ける必要がなくコスト低減を図ることができる。
また、後部カバー５を前方側の開放位置にスライドさせたときは、前部カバー４の前端部に設けた前照灯３３の上部を覆うようにしているため、この前照灯３３を必要とする作業を行う場合その照射領域が、図６に示す如く、通常の前方への照射領域に加えて、後部カバー５の内面で反射する照射領域により分草体２５近傍を照射することができる。
【００２５】
従って従来の如く、分草体２５近傍が見え難いため、オーガを有するものではその前端部に作業灯を設けたり、オーガを有しないものでは少しでも見え易いよう前照灯３３の反射鏡を特別仕様にする等のコスト高を抑えて、後部カバー５の反射光を利用した低コストの前照灯３３により照射領域を拡大し、分草体２５近傍を見え易くし作業を容易にすることができる。なお、後部カバー５の前部内面に反射板ｂを設けることにより照射効率を向上させることができる。
【００２６】
また従来では、前照灯３３が上方にも照射しオペレータが眩しく作業を行い難いものであったが、後部カバー５によりこの上方照射が遮断されるため、オペレータは眩しさが解消され安定した作業を行うことができる。
また、後部カバー５を把手３９の押し引きにより開閉作用させたときに、後部カバー５を開放したときのストッパ受３８ａとストッパ３８とによる嵌合ロック位置を把手３９の中心近傍に配置させると共に、閉鎖したときのストッパ受４０と回動支持軸３７との嵌合ロック位置を把手３９の左右側近傍に配置させているため、後部カバー５の開閉時におけるロックを確実に行うことができる。
【００２７】
従って従来の如く、該把手３９と各ストッパ受３８ａ，４０とが離れた位置に設けられているもののように、後部カバー５が把手３９の作用時に剛性不足により変形したり、ロックが的確に行われず振動が発生して破損や摩耗の要因となるようなことがなく、把手３９の押し引き作用時に、後部カバー５の変形を抑えて確実にロックさせることにより、振動を軽減することができる。
【００２８】
また、該把手３９を後部カバー５上面の重心となる略中央部位置に取り付けることによって、従来の如く、中央部位置より偏位して取り付けているもののように、把手３９の作用時に、後部カバー５が剛性不足により変形してその開閉移動が不安定となることがなく、把手３９の押し引きによる後部カバー５の開閉移動を安定して行うことができると共に、その変形を抑えることができる。
【００２９】
また、刈取装置１の前記穀稈引起ケース２９において、図７に示す如く、上方のスプロケットにより駆動される引起チェン４１と、この引起チェン４１に回動可能に枢着した引起ラグ４２を下端部において誘導する引起ローラ４３と、この引起ローラ４３の上側に密着状態に沿わして引起ラグを起立姿勢で案内するラグガイド４４とを設けると共に、該引起ローラ４３に設けた引起チェン４１を案内する案内溝４３ａに臨むラグガイド４４面に、引起ローラ４３の回転方向と逆向きの突起部４４ａを形成して案内溝４３ａに突出させて構成する。
【００３０】
該ラグガイド４４の突起部４４ａにより引起ローラ４３の案内溝４３ａに巻き付いた藁屑を除去することができるため、従来の如く、案内溝４３ａの巻き付き藁屑により発生していた、引起チェン４１のテンション増大による脱線現象を防止することができる。なお、該ラグガイド４４を樹脂構造とすることにより、案内溝４３ａの断面形状に合致させた突起部４４ａの形成が容易となるから、引起ローラ４３に巻き付いた藁屑を隅々まで綺麗に除去することができる。
【図面の簡単な説明】
【図１】
刈取装置における閉鎖状態の防塵カバーを示す側面図。
【図２】
刈取装置における閉鎖状態の防塵カバーを示す平面図。
【図３】
刈取装置における防塵カバーの断面を示す正面図。
【図４】
コンバインの全体を示す側面図。
【図５】
刈取装置上昇時における閉鎖状態の防塵カバーを示す側面図。
【図６】
刈取装置の防塵カバー開放時における前照灯の照射状態を示す側面図。
【図７】
刈取装置における穀稈引起ケースの構造を示す正面図。
【符号の説明】
１．    刈取装置
２．    穀稈搬送部
３．    防塵カバー
４．    前部カバー
４ａ．  フランジ
５．    後部カバー
５ａ．  フランジ
６．    支持アーム
７．    スライドレール
８．    ガイドローラ
３３． 前照灯